(57)【要約】【課題】変圧器を電柱上部に設置する際、または変圧器を電柱上部から撤去する際に、スリングベルトの係合部と変圧器のつり耳との間に摩擦が生じることなく、スリングベルトの係合部が変圧器のつり耳に係合した状態を保持する吊上補助具を提供する。【解決手段】吊上補助具１は、変圧器１００Ａを電柱上部に設置する際、または変圧器１００Ａを電柱上部から撤去する際に、クレーン等で変圧器１００Ａを吊り上げるときに使用されるスリングベルト１０が変圧器１００Ａのつり耳１０３に係合されて取り付けられた状態から外れることを防止する器具であり、磁石により形成されて変圧器１００Ａの蓋１０２に固定される固定部２と、スリングベルト１０の係合部１２ａ，１２ｂに挿入され、係合部１２ａ，１２ｂの上部を持ち上げて係合部１２ａ，１２ｂの下部がつり耳１０３と係合している状態を保持するアーム部３ａ，３ｂとを備えている。【選択図】  図３
2018079993.tif 000002
【特許請求の範囲】
【請求項１】
変圧器の突起に係合される輪状の係合部が両端に形成され、前記変圧器を吊り上げ装置にて吊り上げるときに使用されるスリングベルトが、前記変圧器に取り付けられた状態から外れることを防止する吊上補助具であって、
前記変圧器の上面に固定される固定部と、
前記固定部から前記突起の近傍まで延設され、前記係合部に挿入された先端部によって前記係合部の上部を持ち上げ、前記係合部の下部と前記突起との係合状態を保持するアーム部と、
を備えたことを特徴とする吊上補助具。
【請求項２】
前記固定部は、磁石により形成され、前記磁石の磁力により前記変圧器に固定される、
ことを特徴とする請求項１に記載の吊上補助具。
【請求項３】
前記アーム部は、前記固定部からそれぞれ対向する方向に一対延設されて配設され、
前記固定部は、前記変圧器の上面の略中央箇所に載置されて固定される、
ことを特徴とする請求項１または２のいずれか１項に記載の吊上補助具。
【請求項４】
一対の前記アーム部は、前記固定部の側方から前記変圧器の上面に対して離隔する方向にそれぞれ延設されて弓状に形成されている、
ことを特徴とする請求項３に記載の吊上補助具。
【請求項５】
前記変圧器の上面における前記スリングベルトの両端の近傍にそれぞれ設けられ、
前記アーム部は、前記固定部から１つ延設される、
ことを特徴とする請求項１または２のいずれか１項に記載の吊上補助具。
【請求項６】
前記アーム部の先端部は、輪状に湾曲するように形成されている、
ことを特徴とする請求項１ないし５のいずれか１項に記載の吊上補助具。
【発明の詳細な説明】
【技術分野】
【０００１】
この発明は、変圧器を電柱上部に設置する際、または変圧器を電柱上部から撤去する際にクレーン等の吊り上げ装置で変圧器を吊り上げるときに使用されるスリングベルトが、変圧器の突起に係合されて取り付けられた状態から外れることを防止する吊上補助具に関する。
【背景技術】
【０００２】
変圧器を電柱に設置する際、または変圧器を電柱から撤去する際、変圧器には、クレーン等の吊り上げ装置で吊り上げられるようにするためのスリングベルトが取り付けられる。このスリングベルトは、両端に輪状の係合部が形成されており、変圧器に設けられた突起に係合部を係合して使用されている。変圧器に設けられた突起は、例えば、変圧器の蓋を固定するために変圧器本体側に設けられた、つり耳と呼ばれる箇所であり、変圧器の蓋を閉止して固定するための部材である。このつり耳に変圧器の蓋が挟持され、ボルトによって変圧器本体に固定されている。
【０００３】
図８は、電柱上部に設置される変圧器の例を示す図であり、変圧器の蓋を閉止するボルトとしてアイボルト１０４が使用されている変圧器１００を示す斜視図（ａ）、及び六角ボルト１０４Ａが使用されている変圧器１００Ａを示す斜視図（ｂ）である。図８（ａ）に示す変圧器１００は、主として、変圧器の回路構成を格納する変圧器本体１０１と、変圧器本体１０１を閉止する蓋（上面）１０２と、蓋１０２を固定するためのつり耳（突起）１０３と、つり耳１０３に螺合されて蓋１０２を固定するためのアイボルト１０４と、送電線からの一次電圧が印加される一次ブッシング１０５とから構成されている。なお、需要家宅等に送電される二次電圧が印加される二次ブッシングは、変圧器１００の裏側に設けられているため、図示を省略する。図８（ｂ）に示す変圧器１００Ａは、アイボルト１０４に替えて六角ボルト１０４Ａが使用されている点において変圧器１００と異なるが、それ以外の構成については、図８（ａ）に示す変圧器１００と同様である。
【０００４】
従前、蓋１０２を閉止するためのボルトは、図８（ａ）に示すような、頭部にリング状の部材が設けられたアイボルト１０４が使用されていた。そのため、従前、スリングベルトの係合部をつり耳１０３に係合させ、スリングベルトとアイボルト１０４のリング状部材の凹部とをバインド線で巻き付けて固定することでスリングベルトがつり耳１０３から外れることを防止していた。しかし、部品の共用化を図る目的で、図８（ｂ）に示すような、頭部が略六角形に形成されている六角ボルト１０４Ａを使用することとされている。これにより、スリングベルトとアイボルト１０４の凹部とをバインド線で固定するような固定方法が使用できなくなることになる。
【０００５】
そのため、例えば、スリングベルトをつり耳１０３に係止しただけの状態でスリングベルトが外れることを防止する吊上補助具が知られている（例えば、特許文献１参照。）。この吊上補助具は、両端にフック部材が設けられたベルト状の部材であり、フック部材をスリングベルトの係合部にそれぞれ引っ掛け、ベルト状部材の引力によりスリングベルトの係合部がつり耳１０３に係止した状態を保持するものである。
【先行技術文献】
【特許文献】
【０００６】
【特許文献１】特開２００７−２７６９７５号公報
【発明の概要】
【発明が解決しようとする課題】
【０００７】
しかしながら、特許文献１に記載の吊上補助具は、フック部材をスリングベルトの輪状の係合部にそれぞれ引っ掛けるものであるため、輪状の係合部が偏芯した状態で保持される。そして、クレーン等で変圧器１００，１００Ａを吊り上げるときに、偏芯した輪状の係合部が戻ろうとするため、スリングベルトの係合部とつり耳１０３との間に摩擦が生じることになり、つり耳１０３が摩耗する原因となる。
【０００８】
そこでこの発明は、スリングベルトの係合部と変圧器のつり耳との間に摩擦が生じることなく、スリングベルトの係合部が変圧器のつり耳に係合した状態を保持する吊上補助具を提供することを目的とする。
【課題を解決するための手段】
【０００９】
上記課題を解決するために、請求項１の発明は、変圧器の突起に係合される輪状の係合部が両端に形成され、前記変圧器を吊り上げ装置にて吊り上げるときに使用されるスリングベルトが、前記変圧器に取り付けられた状態から外れることを防止する吊上補助具であって、前記変圧器の上面に固定される固定部と、前記固定部から前記突起の近傍まで延設され、前記係合部に挿入された先端部によって前記係合部の上部を持ち上げ、前記係合部の下部と前記突起との係合状態を保持するアーム部と、を備えたことを特徴とする。
【００１０】
この発明では、固定部が変圧器の上面に固定され、アーム部が固定部から変圧器の突起の近傍まで延設されている。また、このアーム部は、スリングベルトの輪状の係合部に挿入された先端部によって係合部の上部を持ち上げ、係合部の下部と突起との係合状態を保持する。
【００１１】
請求項２の発明は、請求項１に記載の吊上補助具において、前記固定部は、磁石により形成され、前記磁石の磁力により前記変圧器に固定される、ことを特徴とする。
【００１２】
請求項３の発明は、請求項１または２のいずれか１項に記載の吊上補助具において、前記アーム部は、前記固定部からそれぞれ対向する方向に一対延設されて配設され、前記固定部は、前記変圧器の上面の略中央箇所に載置されて固定される、ことを特徴とする。
【００１３】
請求項４の発明は、請求項３に記載の吊上補助具において、一対の前記アーム部は、前記固定部の側方から前記変圧器の上面に対して離隔する方向にそれぞれ延設されて弓状に形成されている、ことを特徴とする。
【００１４】
請求項５の発明は、請求項１または２のいずれか１項に記載の吊上補助具において、前記変圧器の上面における前記スリングベルトの両端の近傍にそれぞれ設けられ、前記アーム部は、前記固定部から１つ延設されて配設される、ことを特徴とする。
【００１５】
請求項６の発明は、請求項１ないし５のいずれか１項に記載の吊上補助具において、前記アーム部の先端部は、輪状に湾曲するように形成されている、ことを特徴とする。
【発明の効果】
【００１６】
請求項１の発明によれば、スリングベルトの輪状の係合部に挿入された先端部によって係合部の上部を持ち上げ、係合部の下部と突起との係合状態を保持するアーム部が、固定部から変圧器の突起の近傍まで延設されているので、スリングベルトの輪状の係合部は偏芯していない状態で保持されるため、クレーン等で変圧器を吊り上げても摩擦が生じることはなく、スリングベルトの係合部が変圧器のつり耳に係合した状態で保持される。これにより、変圧器のつり耳が摩耗することを防止することができる。
【００１７】
請求項２の発明によれば、固定部は磁石により形成され、磁力により変圧器の上面に固定されるので、容易に変圧器に取り付けることが可能になる。
【００１８】
請求項３の発明によれば、アーム部は、固定部からそれぞれ対向する方向に一対延設されて配設されるので、１つの部材によりスリングベルトの係合部を保持するため、スリングベルトの保持状態を容易に実現することができる。
【００１９】
請求項４の発明によれば、アーム部が固定部の側方から変圧器の上面に対して離隔する方向にそれぞれ延設されて弓状に形成されているので、スリングベルトの係合部の上部が変圧器上面の中央方向に寄せられることになり、スリングベルトの係合部を確実に保持することが可能になる。
【００２０】
請求項５の発明によれば、アーム部が固定部から１つ延設された吊上補助具が、スリングベルトの両端の近傍にそれぞれ設けられ、アーム部が係合部にそれぞれ挿入されて係合部の上部を持ち上げるので、独立した２つの吊上補助具が２つの係合部にそれぞれ使用されてスリングベルトを保持するため、変圧器の大きさによらずにスリングベルトを保持することができる。
【００２１】
請求項６の発明によれば、アーム部の先端部は輪状に湾曲するように形成されているので、作業者の目に刺さる等の事故を防止し、安全に変圧器に取り付けることが可能になり、また、この先端部に指を挿入して持ち運ぶことが可能になるので、取り扱いが容易になる。
【図面の簡単な説明】
【００２２】
【図１】この発明の実施の形態１に係る吊上補助具１の外観を示す図であり、吊上補助具１を示す正面図（ａ）、及び平面図（ｂ）である。
【図２】図１の吊上補助具１が使用される変圧器１００Ａに取り付けられるスリングベルト１０を示す平面図である。
【図３】図１の吊上補助具１が変圧器１００Ａに取り付けられた状態を示す図であり、吊上補助具１及び変圧器１００Ａを示す正面図（ａ）、及び平面図（ｂ）である。
【図４】図３の変圧器１００Ａがクレーン２０に吊り下げられた状態を示す正面図である。
【図５】この発明の実施の形態１の変形例に係る吊上補助具１Ｂの外観を示す正面図である。
【図６】この発明の実施の形態２に係る吊上補助具１Ａの外観を示す図であり、吊上補助具１Ａを示す正面図（ａ）、右側面図（ｂ）、及び平面図（ｃ）である。
【図７】図６の吊上補助具１Ａが変圧器１００Ａに取り付けられた状態を示す正面図である。
【図８】電柱上部に設置される変圧器の例を示す図であり、アイボルト１０４が使用されている変圧器１００を示す斜視図（ａ）、及び六角ボルト１０４Ａが使用されている変圧器１００Ａを示す斜視図（ｂ）である。
【発明を実施するための形態】
【００２３】
以下、この発明を図示の実施の形態に基づいて説明する。
【００２４】
（実施の形態１）
図１ないし図４は、この発明の実施の形態１に係る吊上補助具１を示し、図１は、吊上補助具１を示す正面図（ａ）、及び平面図（ｂ）である。この吊上補助具１は、図８（ｂ）に示したような変圧器１００Ａを電柱上部に設置する際、または変圧器を電柱上部から撤去する際に、クレーン等の吊り上げ装置で変圧器１００Ａを吊り上げるときに使用されるスリングベルトが、変圧器１００Ａのつり耳（突起）１０３に係合されて取り付けられた状態から外れることを防止する器具であり、主として、固定部２と、アーム部３ａ，３ｂとから構成されている。
【００２５】
固定部２は、変圧器１００Ａの蓋（上面）１０２に固定される箇所であり、例えば、磁石により形成されて磁力により変圧器１００Ａに固定されるように構成されている。この固定部２は、図１（ａ）、（ｂ）に示すように、例えば略円板状に形成されている。
【００２６】
アーム部３ａ，３ｂは、後述するスリングベルトの係合部に挿入され、その係合部の上部が持ち上げられ、係合部の下部と変圧器１００Ａのつり耳１０３とが係合されている状態を保持するための一対の部材である。このアーム部３ａ，３ｂは、弾性を有する部材、例えばステンレス等の金属により長尺の棒状に形成された部材を絶縁被膜でコーティングした部材により、固定部２の側方からそれぞれ対向する方向に延設され、変圧器１００Ａに取り付けられた時に蓋１０２に対して離隔する方向に反って弓状になるように形成されている。
【００２７】
また、このアーム部３ａ，３ｂには、先端側にそれぞれ先端部３１ａ，３１ｂが形成されている。この先端部３１ａ，３１ｂは、輪状に湾曲するように形成されている箇所であり、アーム部３ａ，３ｂの先端が尖った状態だと作業者の目に刺さる等の事故のおそれがあり危険であるため、このような事故を防止するため、またはこの先端部３１ａ，３１ｂに指を挿入して持ち運ぶことで取り扱いを容易にするために設けられている。
【００２８】
次に、このような吊上補助具１の使用方法及び作用等について、以下に説明する。
【００２９】
図２は、図１の吊上補助具１が使用される変圧器１００Ａに取り付けられるスリングベルト１０を示す平面図である。図３は、図１の吊上補助具１が変圧器１００Ａに取り付けられた状態を示す図であり、吊上補助具１及び変圧器１００Ａを示す正面図（ａ）、及び平面図（ｂ）である。また、図４は、図３の変圧器１００Ａがクレーン２０に吊り下げられた状態を示す正面図である。図３（ａ）、（ｂ）及び図４に示す変圧器１００Ａは、図８（ｂ）に示す変圧器１００Ａと同様である。
【００３０】
変圧器１００Ａには、図４に示すクレーン（吊り上げ装置）２０で吊り上げるために、図２に示すスリングベルト１０が取り付けられている。このスリングベルト１０は、主として、ベルト部材１１と、係合部１２ａ，１２ｂとから構成されている。ベルト部材１１は、変圧器１００Ａをクレーン２０で吊り上げるときに係止される部材であり、帯状材料により形成されている。係合部１２ａ，１２ｂは、図３（ａ）に示すように変圧器１００Ａのつり耳１０３に係合される箇所であり、ベルト部材１１の両端が折り曲げられて輪状に形成され、その輪Ｒにつり耳１０３が挿入されるように形成されている。また、図４に示すクレーン２０は、変圧器１００Ａのような重量物を持ち上げるための装置であり、フック２１を備えている。
【００３１】
図３（ａ）、（ｂ）に示すように、変圧器１００Ａにスリングベルト１０が取り付けられている状態で、吊上補助具１のアーム部３ａ，３ｂを係合部１２ａ，１２ｂの輪Ｒにそれぞれ挿入する。そして、固定部２を蓋１０２の略中央箇所の上に載置して、蓋１０２に固定する。すると、アーム部３ａ，３ｂが蓋１０２から離隔する方向に反って弓状に形成されていることから、係合部１２ａ，１２ｂの輪Ｒの上部がアーム部３ａ，３ｂによって持ち上げられた状態になって蓋１０２の中央方向に寄せられた状態になり、係合部１２ａ，１２ｂの輪Ｒの下部がつり耳１０３に係合された状態で保持される。このとき、係合部１２ａ，１２ｂはベルト部材１１の両端が折り曲げられて形成されていることから、ベルト部材１１の折り目の箇所にアーム部３ａ，３ｂが係止されて保持される。
【００３２】
その後、図４に示すように、ベルト部材１１の中央箇所をクレーン２０のフック２１に係止して、クレーン２０を持ち上げると、ベルト部材１１が上方に引っ張られて変圧器１００Ａが持ち上げられる。このとき、係合部１２ａ，１２ｂにおけるベルト部材１１の折り目の箇所にアーム部３ａ，３ｂが係止されていたことから、クレーン２０によって持ち上げられたときに、係合部１２ａ，１２ｂとつり耳１０３との間で摩擦が生じることなくクレーン２０によって持ち上げられる。これは、アーム部３ａ，３ｂによってベルト部材１１の折り目の箇所が真上になるように保持されていたため、係合部１２ａ，１２ｂが偏芯していない状態で確実に保持されるからである。また、固定部２は蓋１０２に固定されているので、変圧器１００Ａがクレーン２０によって持ち上げられても落下することはない。
【００３３】
このように、この吊上補助具１によれば、アーム部３ａ，３ｂを備え、アーム部３ａ，３ｂによって係合部１２ａ，１２ｂにおけるベルト部材１１の折り目の箇所が真上になるように保持されるため、係合部１２ａ，１２ｂが偏芯していない状態で保持される。そのため、クレーン２０によって持ち上げられたときに、係合部１２ａ，１２ｂとつり耳１０３との間で摩擦が生じることがなくなる。これにより、つり耳１０３の摩耗を防止することができる。
【００３４】
また、固定部２は磁石によって形成され、その磁力により蓋１０２に固定されているので、容易に変圧器１００Ａに取り付けることが可能になる。
【００３５】
また、アーム部３ａ，３ｂが弓状に形成されているので、係合部１２ａ，１２ｂの上部が変圧器上面の中央方向に寄せられることになり、係合部１２ａ，１２ｂを確実に保持することができる。
【００３６】
さらに、１つの吊上補助具１にて係合部１２ａ，１２ｂを保持するので、容易にこの保持状態を実現することができる。
【００３７】
次に、この発明の実施の形態１に係る吊上補助具１の変形例について説明する。図５は、この発明の実施の形態１の変形例に係る吊上補助具１Ｂの外観を示す正面図である。吊上補助具１Ｂは、実施の形態１と同様に、図８（ｂ）に示したような変圧器１００Ａを電柱上部に設置する際、または変圧器を電柱上部から撤去する際に、クレーン等の吊り上げ装置で変圧器１００Ａを吊り上げるときに使用されるスリングベルトが変圧器１００Ａの突起に係合されて取り付けられた状態から外れることを防止する器具であるが、固定部２の上部にリング部２１が設けられている点において異なる。
【００３８】
このリング部２１は、固定部２の上部に取っ手となるようなリング状の部材を設けたものであり、これにより、吊上補助具１Ｂを蓋１０２から外すことが容易になるため、吊上補助具１Ｂの操作性を向上させることが可能になる。
【００３９】
（実施の形態２）
図６及び図７は、この発明の実施の形態２に係る吊上補助具１Ａを示し、図６は、吊上補助具１Ａを示す正面図（ａ）、右側面図（ｂ）、及び平面図（ｃ）である。吊上補助具１Ａは、実施の形態１と同様に、図８（ｂ）に示したような変圧器１００Ａを電柱上部に設置する際、または変圧器を電柱上部から撤去する際に、クレーン２０等の吊り上げ装置で変圧器１００Ａを吊り上げるときに使用されるスリングベルト１０が変圧器１００Ａの突起に係合されて取り付けられた状態から外れることを防止する器具である。この吊上補助具１Ａは、主として、固定部２Ａと、アーム部３Ａとから構成されている。
【００４０】
固定部２Ａは、変圧器１００Ａの蓋１０２に固定される箇所であり、磁石により形成されて磁力により変圧器１００Ａに固定されるように構成されている点において、実施の形態１に係る吊上補助具１の固定部２と同様である。この固定部２Ａは、図６（ａ）〜（ｃ）に示すように、例えば下面が略方形で上面が四角錘状に形成されている。
【００４１】
アーム部３Ａは、係合部１２ａ，１２ｂに挿入され、変圧器１００Ａのつり耳１０３に係合されている状態を保持するための棒状部材であり、弾性部材により形成されている点において、実施の形態１に係る吊上補助具１のアーム部３ａ，３ｂと同様であるが、アーム部３ａ，３ｂのように長尺に形成されていない点と、固定部２Ａの四角錘状の上面から１つだけ斜め上方に延設されている点において、実施の形態１に係る吊上補助具１と異なる。
【００４２】
また、このアーム部３Ａには、先端側に先端部３１Ａが形成されている。この先端部３１Ａは、実施の形態１に係る吊上補助具１の先端部３１ａ，３１ｂと同様に、輪状に湾曲するように形成されている箇所であり、アーム部３Ａの先端が尖った状態だと作業者の目に刺さる等の事故のおそれがあり危険であるため、このような事故を防止するために設けられている。
【００４３】
次に、このような吊上補助具１Ａの使用方法及び作用等について、以下に説明する。
【００４４】
図７は、図６の吊上補助具１Ａが変圧器１００Ａに取り付けられた状態を示す正面図である。図７に示す変圧器１００Ａ及びスリングベルト１０は、図３（ａ）、（ｂ）及び図４に示す変圧器１００Ａ及びスリングベルト１０と同様である。
【００４５】
図７に示すように、変圧器１００Ａにスリングベルト１０が取り付けられている状態で、２つの吊上補助具１Ａのアーム部３Ａを，係合部１２ａ，１２ｂにそれぞれ挿入する。そして、固定部２を、係合部１２ａ，１２ｂが係合されているつり耳１０３の近傍の蓋１０２の上に載置して、蓋１０２に固定する。すると、アーム部３Ａが固定部２Ａから斜め上方に延設されていることから、輪状の係合部１２ａ，１２ｂがアーム部３Ａによって持ち上げられた状態になって保持される。このときの吊上補助具１Ａの作用効果は、実施の形態１に係る吊上補助具１と同様である。
【００４６】
このように、この吊上補助具１Ａによれば、１つのアーム部３Ａを備えているので、２つの吊上補助具１Ａのアーム部３Ａによってそれぞれ２つの係合部１２ａ，１２ｂを保持することになるため、変圧器１００Ａの大きさによらずにスリングベルト１０を保持することができる。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、固定部２，２Ａを磁石の磁力により蓋１０２に固定される構成としたが、磁石に限られず、例えば吸盤状に構成して吸盤の吸引力で蓋１０２に固定される構成としても良い。
【００４８】
また、アーム部３ａ，３ｂ，３Ａの先端側にそれぞれ輪状の先端部３１ａ，３１ｂ，３１Ａを形成したが、輪状に限られず、先端が尖った形状でなければ他の形状にしても良い。
【００４９】
さらに、実施の形態２に係るアーム部３Ａは、弾性部材により形成したが、固定部２Ａにばね等を設け、ばね等の付勢力により係合部１２ａ，１２ｂを保持する構成にしても良い。
【符号の説明】
【００５０】
１，１Ａ，１Ｂ              吊上補助具
２，２Ａ                    固定部
３Ａ，３ａ，３ｂ            アーム部
３１Ａ，３１ａ，３１ｂ      先端部
１０                        スリングベルト
１１                        ベルト部材
１２ａ，１２ｂ              係合部
２０                        クレーン（吊り上げ装置）
２１                        フック
１００，１００Ａ            変圧器
１０１                      変圧器本体
１０２                      蓋（上面）
１０３                      つり耳（突起）
１０４                      アイボルト
１０４Ａ                    六角ボルト
１０５                      一次ブッシング
【図１】
2018079993.tif 000003
【図２】
2018079993.tif 000004
【図３】
2018079993.tif 000005
【図４】
2018079993.tif 000006
【図５】
2018079993.tif 000007
【図６】
2018079993.tif 000008
【図７】
2018079993.tif 000009
【図８】
2018079993.tif 000010